(57)【特許請求の範囲】
【請求項１】
タッチパネルを備える表示制御装置であって、
複数の第１オブジェクトを含む第１グループを生成するグループ生成部と、
前記タッチパネルに前記複数の第１オブジェクトを表示する表示制御部と、
前記タッチパネルを介して、前記複数の第１オブジェクトのうち、特定の第１オブジェクトに対する特定の操作を検出する特定操作検出部と
を備え、
前記特定操作検出部が前記特定の操作を検出したことに応答して、前記グループ生成部は、前記特定の第１オブジェクトを複製して第２オブジェクトを生成すると共に、前記第２オブジェクトを含む第２グループを生成し、
前記表示制御部は、
前記タッチパネルに前記第２オブジェクトの一部を表示し、前記第２オブジェクトの他の一部を前記タッチパネルに表示せず、
前記第２オブジェクトの一部が前記タッチパネルに表示されてから第１所定時間、前記特定の操作を検出しない場合、前記タッチパネルに、前記複数の第１オブジェクトを第１方向に並べて表示すると共に、前記第１オブジェクトに対して前記第１方向と交差する方向に離間した位置に前記第２オブジェクトの全体を表示し、
前記第２オブジェクトの全体が表示されてから第２所定時間、前記特定の操作を検出しない場合、前記タッチパネルに、前記複数の第１オブジェクト及び前記第２オブジェクトを前記タッチパネルの前記第１方向の側端に詰めて表示する、表示制御装置。
【請求項２】
前記表示制御部は、前記複数の第１オブジェクト及び前記第２オブジェクトを前記第１方向にスクロール可能に前記タッチパネルに表示する、請求項１に記載の表示制御装置。
【請求項３】
前記第１方向に交差する方向は、第２方向又は第３方向であり、
前記第３方向は、前記第２方向と反対の方向を示し、
前記グループ生成部は、
前記特定操作検出部が第１操作を検出したことに応答して、前記第１グループに前記特定の第１オブジェクトを残して、前記第２グループを生成し、
前記特定操作検出部が第２操作を検出したことに応答して、前記第１グループから前記特定の第１オブジェクトを消去して、前記第２グループを生成し、
前記第１操作は、前記第２方向を示す前記特定の操作であり、
前記第２操作は、前記第３方向を示す前記特定の操作であり、
前記表示制御部は、
前記第１操作に応答して前記第２グループが生成された場合には、前記第１オブジェクトに対して前記第２方向に離間した位置に前記第２オブジェクトを表示し、
前記第２操作に応答して前記第２グループが生成された場合には、前記第１オブジェクトに対して前記第３方向に離間した位置に前記第２オブジェクトを表示する、請求項１に記載の表示制御装置。
【請求項４】
前記第１操作に応答して前記第２グループが生成された場合には、前記グループ生成部は、前記第２操作に応答せず、
前記第２操作に応答して前記第２グループが生成された場合には、前記グループ生成部は、前記第１操作に応答しない、請求項３に記載の表示制御装置。
【請求項５】
前記グループ生成部は、前記特定の第１オブジェクトに対する前記第１操作に応答して前記第２グループを生成し、
前記特定操作検出部は、前記特定の第１オブジェクトに対する前記第１操作を検出し、
前記グループ生成部は、前記特定操作検出部が前記特定の第１オブジェクトに対する前記第１操作を検出したことに応答して、前記第１グループから前記特定の第１オブジェクトを消去する、請求項３又は請求項４に記載の表示制御装置。
【請求項６】
前記第１所定時間は、前記第２所定時間よりも長い、請求項１から請求項５のいずれか１項に記載の表示制御装置。
【請求項７】
タッチパネルを備える表示制御装置の表示制御方法であって、
複数の第１オブジェクトを含む第１グループを生成する工程と、
前記タッチパネルに前記複数の第１オブジェクトを表示する工程と、
前記タッチパネルを介して、前記複数の第１オブジェクトのうち、特定の第１オブジェクトに対する特定の操作を検出する工程と、
前記特定の操作を検出したことに応答して、前記特定の第１オブジェクトを複製して第２オブジェクトを生成すると共に、前記第２オブジェクトを含む第２グループを生成する工程と、
前記タッチパネルに前記第２オブジェクトの一部を表示し、前記第２オブジェクトの他の一部を前記タッチパネルに表示しない工程と、
前記第２オブジェクトの一部が前記タッチパネルに表示されてから第１所定時間、前記特定の操作を検出しない場合、前記タッチパネルに、前記複数の第１オブジェクトを第１方向に並べて表示すると共に、前記第１オブジェクトに対して前記第１方向と交差する方向に離間した位置に前記第２オブジェクトの全体を表示する工程と、
前記第２オブジェクトの全体が表示されてから第２所定時間、前記特定の操作を検出しない場合、前記タッチパネルに、前記複数の第１オブジェクト及び前記第２オブジェクトを前記タッチパネルの前記第１方向の側端に詰めて表示する工程と
を含む、表示制御方法。
【請求項８】
タッチパネルを備える画像形成装置であって、
複数の第１オブジェクトを含む第１グループを生成するグループ生成部と、
前記タッチパネルに前記複数の第１オブジェクトを表示する表示制御部と、
前記タッチパネルを介して、前記複数の第１オブジェクトのうち、特定の第１オブジェクトに対する特定の操作を検出する特定操作検出部と、
記録媒体に画像を形成する画像形成部と
を備え、
前記特定操作検出部が前記特定の操作を検出したことに応答して、前記グループ生成部は、前記特定の第１オブジェクトを複製して第２オブジェクトを生成すると共に、前記第２オブジェクトを含む第２グループを生成し、
前記表示制御部は、
前記タッチパネルに、前記第２オブジェクトの一部を表示し、前記第２オブジェクトの他の一部を前記タッチパネルに表示せず、
前記第２オブジェクトの一部が前記タッチパネルに表示されてから第１所定時間、前記特定の操作を検出しない場合、前記タッチパネルに、前記複数の第１オブジェクトを第１方向に並べて表示すると共に、前記第１オブジェクトに対して前記第１方向と交差する方向に離間した位置に前記第２オブジェクトの全体を表示し、
前記第２オブジェクトの全体が表示されてから第２所定時間、前記特定の操作を検出しない場合、前記タッチパネルに、前記複数の第１オブジェクト及び前記第２オブジェクトを前記タッチパネルの前記第１方向の側端に詰めて表示する、画像形成装置。
【請求項９】
複数の原稿の各々に形成された画像を読み取る画像読取部を更に備え、
前記複数の第１オブジェクトは、前記画像読取部によって読み取られた複数の前記画像に対応する、請求項８に記載の画像形成装置。
【発明の詳細な説明】
【技術分野】
【０００１】
本発明は、タッチパネルを備える表示制御装置、表示制御方法、及び、画像形成装置に関する。
【背景技術】
【０００２】
一般的に、タッチパネルに表示されるオブジェクトを操作する種々の技術が知られている。例えば、特許文献１に記載されている画像形成装置は、タッチパネルに表示した複数のプレビュー画像を操作する。
【０００３】
具体的には、画像形成装置は、まず、複数のプレビュー画像のうち、２つのプレビュー画像をグループ外へ退避させる。そして、他の２つのプレビュー画像の所定位置をピンチアウト操作する。また、退避された２つのプレビュー画像を、ピンチアウト操作によって他の２つのプレビュー画像の間に挿入する。その結果、複数のプレビュー画像の表示位置の変更を直観的な操作で効率良く行うことができる。
【先行技術文献】
【特許文献】
【０００４】
【特許文献１】特開２０１４−１０６９４１号公報
【発明の概要】
【発明が解決しようとする課題】
【０００５】
しかしながら、特許文献１に記載の画像形成装置では、複数のプレビュー画像に対してユーザーが所望する操作を行うことができない場合があった。具体的には、上記画像形成装置は、複数のプレビュー画像の順序を変更することができる。しかし、上記画像形成装置では、例えば、複数のプレビュー画像の中から印刷する対象のプレビュー画像を選択することはできない。その結果、上記画像形成装置には、複数のプレビュー画像のようなオブジェクトに対する操作性を向上する余地があった。
【０００６】
本発明は、上記課題に鑑みてなされたものであり、タッチパネルに表示されたオブジェクトの操作性を向上できる表示制御装置、表示制御方法、及び、画像形成装置を提供することを目的としている。
【課題を解決するための手段】
【０００７】
本発明の表示制御装置は、タッチパネルを備える表示制御装置であって、グループ生成部、表示制御部及び特定操作検出部を備える。前記グループ生成部は、複数の第１オブジェクトを含む第１グループを生成する。前記表示制御部は、前記タッチパネルに前記複数の第１オブジェクトを表示する。前記特定操作検出部は、前記タッチパネルを介して、前記複数の第１オブジェクトのうち、特定の第１オブジェクトに対する特定の操作を検出する。前記特定操作検出部が前記特定の操作を検出したことに応答して、前記グループ生成部は、前記特定の第１オブジェクトを複製して第２オブジェクトを生成すると共に、前記第２オブジェクトを含む第２グループを生成する。前記表示制御部は、前記タッチパネルに前記第２オブジェクトを表示する。
【０００８】
本発明の表示制御方法は、タッチパネルを備える表示制御装置の表示制御方法であって、複数の第１オブジェクトを含む第１グループを生成する工程と、前記タッチパネルに前記複数の第１オブジェクトを表示する工程と、前記タッチパネルを介して、前記複数の第１オブジェクトのうち、特定の第１オブジェクトに対する特定の操作を検出する工程と、前記特定の操作を検出したことに応答して、前記特定の第１オブジェクトを複製して第２オブジェクトを生成すると共に、前記第２オブジェクトを含む第２グループを生成する工程と、前記タッチパネルに前記第２オブジェクトを表示する工程とを含む。
【０００９】
本発明の画像形成装置は、タッチパネルを備える画像形成装置であって、グループ生成部、表示制御部、特定操作検出部及び画像形成部を備える。前記グループ生成部は、複数の第１オブジェクトを含む第１グループを生成する。前記表示制御部は、前記タッチパネルに前記複数の第１オブジェクトを表示する。前記特定操作検出部は、前記タッチパネルを介して、前記複数の第１オブジェクトのうち、特定の第１オブジェクトに対する特定の操作を検出する。前記画像形成部は、記録媒体に画像を形成する。前記特定操作検出部が前記特定の操作を検出したことに応答して、前記グループ生成部は、前記特定の第１オブジェクトを複製して第２オブジェクトを生成すると共に、前記第２オブジェクトを含む第２グループを生成する。前記表示制御部は、前記タッチパネルに前記第２オブジェクトを表示する。
【発明の効果】
【００１０】
本発明の表示制御装置、表示制御方法、及び、画像形成装置によれば、タッチパネルに表示されたオブジェクトの操作性を向上できる。
【図面の簡単な説明】
【００１１】
【図１】本発明の実施形態に係る画像形成装置を示す図である。
【図２】本発明の実施形態に係る画像形成装置の制御部の構成を示す図である。
【図３】第１オブジェクトに対して第１操作を行う画面を示す図である。
【図４】第１操作によって表示される第１状態の画面を示す図である。
【図５】第１操作によって表示される第２状態の画面を示す図である。
【図６】第１操作によって表示される最終状態の画面を示す図である。
【図７】第１オブジェクトに対して第２操作を行う画面を示す図である。
【図８】第２操作によって表示される第１状態の画面を示す図である。
【図９】第２操作によって表示される第２状態の画面を示す図である。
【図１０】第２操作によって表示される最終状態の画面を示す図である。
【図１１】制御部の動作の前半を示すフローチャートである。
【図１２】制御部の動作の後半を示すフローチャートである。
【発明を実施するための形態】
【００１２】
以下、本発明の実施形態について、図面（図１〜図１２）を参照しながら説明する。なお、図中、同一又は相当部分については同一の参照符号を付して説明を繰り返さない。
【００１３】
まず、図１を参照して、本実施形態に係る画像形成装置１００について説明する。画像形成装置１００は、本実施形態では、複合機である。画像形成装置１００は、スキャナー、複写機、プリンター、及び、ファクシミリの各機能を有する。画像形成装置１００は、画像形成ユニット１、画像読取ユニット２、原稿搬送ユニット３、操作パネル４、及び、制御部５を備える。
【００１４】
画像形成ユニット１は、記録用紙Ｐに画像を形成する。画像読取ユニット２は、原稿Ｒに形成された画像を読み取る。原稿搬送ユニット３は、読み取り対象の原稿Ｒを搬送する。操作パネル４は、タッチパネル４１を備え、画像形成装置１００に対するユーザーからの操作を受け付ける。制御部５は、画像形成装置１００の動作を制御する。
【００１５】
画像形成ユニット１は、給紙カセット１１、搬送路１２、及び、画像形成部１３を備える。搬送路１２は、給紙カセット１１から繰り出された記録用紙Ｐを画像形成部１３まで搬送する。画像形成部１３は、給紙カセット１１から搬送されてきた記録用紙Ｐに画像を形成する。
【００１６】
次に、図２を参照して、制御部５の構成について説明する。制御部５は、画像読取部５１、画像記憶部５２、表示制御部５３、特定操作検出部５４、グループ生成部５５、及び、画像形成制御部５６を備える。
【００１７】
具体的には、制御部５は、プロセッサー及び記憶装置を備える。プロセッサーは、例えば、ＣＰＵ（Ｃｅｎｔｒａｌ  Ｐｒｏｃｅｓｓｉｎｇ  Ｕｎｉｔ）を含む。記憶装置は、例えば、半導体メモリーを含み、ＨＤＤ（Ｈａｒｄ  Ｄｉｓｋ  Ｄｒｉｖｅ）を更に含んでもよい。プロセッサーは、記憶装置に格納された制御プログラムを読み出して実行することによって、各種機能部として機能する。具体的には、プロセッサーは、画像読取部５１、表示制御部５３、特定操作検出部５４、グループ生成部５５、及び、画像形成制御部５６として機能する。また、記憶装置は、画像記憶部５２として機能する。
【００１８】
画像読取部５１は、タッチパネル４１を介してユーザーからの操作を受け付ける。また、画像読取部５１は、受け付けた操作に基づいて、原稿搬送ユニット３に原稿Ｒを搬送させ、画像読取ユニット２を介して原稿Ｒに形成された画像を読み取る。更に、画像読取部５１は、読み取った画像に対応する画像情報を画像記憶部５２に記憶させる。
【００１９】
画像記憶部５２は、画像情報を、第１オブジェクトＢＪ１に対応する画像情報として記憶する。第１オブジェクトＢＪ１は、第１グループＧ１を構成する。画像情報は、表示制御部５３によって画像記憶部５２から読み出される。
【００２０】
表示制御部５３は、タッチパネル４１に複数の第１オブジェクトＢＪ１を第１方向ＤＲ１に並べて表示する。また、表示制御部５３は、複数の第１オブジェクトＢＪ１を第１方向ＤＲ１にスクロール可能に表示する。本実施形態では、画像読取部５１が４枚の原稿Ｒに形成された画像を読み取る。画像記憶部５２は、４枚の原稿Ｒに形成された画像にそれぞれ対応する４つの画像情報を記憶する。表示制御部５３は、タッチパネル４１に、４つの第１オブジェクトＢＪ１を第１方向ＤＲ１に並べて表示する。４つの第１オブジェクトＢＪ１は、それぞれ、４つの画像情報に対応する。
【００２１】
特定操作検出部５４は、複数の第１オブジェクトＢＪ１のうち、特定の第１オブジェクトＢＪ１に対するスワイプ操作ＯＰＳを検出する。また、特定操作検出部５４は、スワイプ操作ＯＰＳの方向を検出する。具体的には、特定操作検出部５４は、スワイプ操作ＯＰＳの方向が、第２方向ＤＲ２であるか、第３方向ＤＲ３であるかを検出する。第２方向ＤＲ２及び第３方向ＤＲ３は、第１方向ＤＲ１と交差する方向である。また、第３方向ＤＲ３は、第２方向ＤＲ２と反対の方向を示す。本実施形態では、第２方向ＤＲ２及び第３方向ＤＲ３は、第１方向ＤＲ１と直交する方向である。また、以下の説明において、第２方向ＤＲ２のスワイプ操作ＯＰＳを、「第１操作ＯＰ１」と記載し、第３方向ＤＲ３のスワイプ操作ＯＰＳを、「第２操作ＯＰ２」と記載する場合がある。
【００２２】
グループ生成部５５は、第１グループＧ１、Ｇ１Ａを生成する。具体的には、グループ生成部５５は、４つの第１オブジェクトＢＪ１から構成される第１グループＧ１、Ｇ１Ａを生成する。また、グループ生成部５５は、特定操作検出部５４がスワイプ操作ＯＰＳを検出したことに応答して、特定の第１オブジェクトＢＪ１を複製して、第２オブジェクトＢＪ２を生成する。そして、グループ生成部５５は、第２オブジェクトＢＪ２を含む第２グループＧ２、Ｇ２Ａを生成する。第１グループＧ１に含まれる第１オブジェクトＢＪ１に対して第１操作ＯＰ１が行われることによって、第２グループＧ２が生成される。第１グループＧ１Ａに含まれる第１オブジェクトＢＪ１に対して第２操作ＯＰ２が行われることによって、第２グループＧ２Ａが生成される。
【００２３】
画像形成制御部５６は、例えば、第１オブジェクトＢＪ１に対応する画像を記録用紙Ｐに形成する。また、画像形成制御部５６は、例えば、第２オブジェクトＢＪ２に対応する画像を記録用紙Ｐに形成する。
【００２４】
画像形成装置１００は、「表示制御装置」の一例に相当する。記録用紙Ｐは、「記録媒体」の一例に相当する。画像形成ユニット１は、「画像形成部」の一部に相当する。画像形成制御部５６は、「画像形成部」の一部に相当する。スワイプ操作ＯＰＳは、「特定の操作」の一例に相当する。第１グループＧ１は、第１操作ＯＰ１が行われる特定の第１オブジェクトＢＪ１を含む。第１グループＧ１Ａは、第２操作ＯＰ２が行われる特定の第１オブジェクトＢＪ１を含む。
【００２５】
次に、図３を参照して、第１オブジェクトＢＪ１に対する第１操作ＯＰ１について説明する。画面６００には、第１オブジェクト６０１〜６０４が表示されている。表示制御部５３は、画面６００の上下方向の略中央位置に、第１オブジェクト６０１〜６０４を表示する。また、表示制御部５３は、画面６００の第１方向ＤＲ１の先端から順に、第１方向ＤＲ１の後端側に向けて、第１オブジェクト６０１〜６０４を並べて表示する。また、図３において、第１グループ表示領域ＧＲ１を一点鎖線で示している。第１グループ表示領域ＧＲ１は、第１オブジェクト６０１〜６０４が第１グループＧ１に含まれることを示す。
【００２６】
また、第１オブジェクト６０１は、原稿搬送ユニット３に積載された４枚の原稿Ｒのうち、１枚目（図１では最上位置）の原稿Ｒに形成された画像に対応する画像情報を示す。第１オブジェクト６０２は、４枚の原稿Ｒのうち、２枚目（図１では上から２枚目）の原稿Ｒに形成された画像に対応する画像情報を示す。第１オブジェクト６０３は、４枚の原稿Ｒのうち、３枚目（図１では上から３枚目）の原稿Ｒに形成された画像に対応する画像情報を示す。第１オブジェクト６０４は、４枚の原稿Ｒのうち、４枚目（図１では上から４枚目）の原稿Ｒに形成された画像に対応する画像情報を示す。
【００２７】
次に、第１オブジェクト６０２に対して第１操作ＯＰ１が行われる場合について以下に説明する。まず、ユーザーの手Ｈ１の指が第１オブジェクト６０２上の位置Ｐ１１に接触する。そして、手Ｈ１の指がタッチパネル４１に触れた状態で、ユーザーが手Ｈ１の指を方向ＡＲ１１に位置Ｐ１２まで移動する。次に、位置Ｐ１２においてユーザーが手Ｈ１の指をタッチパネル４１から離す。その結果、特定操作検出部５４は、第１オブジェクト６０２に対する第１操作ＯＰ１を検出する。
【００２８】
特定操作検出部５４が第１オブジェクト６０２に対する第１操作ＯＰ１を検出したことに応答して、グループ生成部５５は、第１オブジェクト６０２を複製して第２オブジェクト７０２を生成する。そして、グループ生成部５５は、第２オブジェクト７０２を含む第２グループＧ２を生成する。
【００２９】
次に、第１オブジェクト６０４に対して第１操作ＯＰ１が行われる場合について以下に説明する。まず、ユーザーの手Ｈ２の指が第１オブジェクト６０４上の位置Ｐ２１に接触する。そして、手Ｈ２の指がタッチパネル４１に触れた状態で、ユーザーが手Ｈ２の指を方向ＡＲ２１に位置Ｐ２２まで移動する。次に、位置Ｐ２２においてユーザーが手Ｈ２の指をタッチパネル４１から離す。その結果、特定操作検出部５４は、第１オブジェクト６０４に対する第１操作ＯＰ１を検出する。
【００３０】
特定操作検出部５４が第１操作ＯＰ１を検出したことに応答して、グループ生成部５５は、第１オブジェクト６０４を複製して第２オブジェクト７０４を生成する。そして、グループ生成部５５は、第２オブジェクト７０４を第２グループＧ２に含ませて、第２グループＧ２を更新する。その結果、第２グループＧ２は、第２オブジェクト７０２及び第２オブジェクト７０４で構成される。
【００３１】
次に、図４〜図６を参照して、第１操作ＯＰ１が検出された場合にタッチパネル４１に表示される画面の推移について説明する。なお、図４〜図６では、図３を参照して説明したように、第１オブジェクト６０２及び第１オブジェクト６０４に対して第１操作ＯＰ１が行われる場合について説明する。
【００３２】
グループ生成部５５は、特定操作検出部５４が第１オブジェクト６０２に対する第１操作ＯＰ１を検出したことに応答して、第１グループＧ１の第１オブジェクト６０２を消去しない。同様に、グループ生成部５５は、特定操作検出部５４が第１オブジェクト６０４に対する第１操作ＯＰ１を検出したことに応答して、第１グループＧ１の第１オブジェクト６０４を消去しない。その結果、グループ生成部５５が第２グループＧ２を生成したときにも、第１グループＧ１は第１オブジェクト６０１〜６０４から構成されている。
【００３３】
まず、図４を参照して、第１操作ＯＰ１によって表示される第１状態の画面６１０について説明する。画面６１０には、第１オブジェクト６０１〜６０４が表示されている。また、図４において、第１グループ表示領域ＧＲ１を一点鎖線で示している。第１グループ表示領域ＧＲ１は、第１オブジェクト６０１〜６０４が第１グループＧ１に含まれることを示す。
【００３４】
特定操作検出部５４が第１オブジェクト６０２に対する第１操作ＯＰ１を検出したことに応答して、グループ生成部５５は、第１オブジェクト６０２を複製して第２オブジェクト７０２を生成する。方向ＡＲ１２で示す矢印は、グループ生成部５５が第１オブジェクト６０２を複製して第２オブジェクト７０２を生成することを示している。そして、表示制御部５３は、第１オブジェクト６０２に対して第２方向ＤＲ２に離間した位置に第２オブジェクト７０２を表示する。また、第２オブジェクト７０２の上部は、タッチパネル４１の表示可能領域に含まれない。よって、タッチパネル４１には、図４において破線で示す第２オブジェクト７０２の上部は表示されない。
【００３５】
また、特定操作検出部５４が第１オブジェクト６０４に対する第１操作ＯＰ１を検出したことに応答して、グループ生成部５５は、第１オブジェクト６０４を複製して第２オブジェクト７０４を生成する。方向ＡＲ２２で示す矢印は、グループ生成部５５が第１オブジェクト６０４を複製して第２オブジェクト７０４を生成することを示している。そして、表示制御部５３は、第１オブジェクト６０４に対して第２方向ＤＲ２に離間した位置に第２オブジェクト７０４を表示する。また、第２オブジェクト７０４の上部は、タッチパネル４１の表示可能領域に含まれない。よって、タッチパネル４１には、図４において破線で示す第２オブジェクト７０４の上部は表示されない。
【００３６】
次に、図５を参照して、第１操作ＯＰ１によって表示される第２状態の画面６２０について説明する。画面６１０がタッチパネル４１に表示されてから、第１所定時間操作が行われなかったときに、表示制御部５３は、画面６２０をタッチパネル４１に表示する。第１所定時間は、例えば、２．０秒である。画面６２０には、第１オブジェクト６０１〜６０４及び第２オブジェクト７０２、７０４が表示されている。
【００３７】
表示制御部５３は、まず、第１オブジェクト６０１〜６０４を、画面６２０の下半分の領域に第１方向ＤＲ１の先端側から後端側に並べて表示する。次に、表示制御部５３は、第２オブジェクト７０２を、画面６２０の上半分の領域のうち、第１オブジェクト６０２に対して第２方向ＤＲ２に離間した位置に表示する。また、表示制御部５３は、第２オブジェクト７０４を、タッチパネル４１の上半分の領域のうち、第１オブジェクト６０４に対して第２方向ＤＲ２に離間した位置に表示する。
【００３８】
その結果、画面６２０には、第１オブジェクト６０１〜６０４及び第２オブジェクト７０２、７０４が表示される。また、図５において、第２グループ表示領域ＧＲ２を一点鎖線で示している。第２グループ表示領域ＧＲ２は、第２オブジェクト７０２、７０４が第２グループＧ２に含まれることを示す。
【００３９】
次に、図６を参照して、第１操作ＯＰ１によって表示される最終状態の画面６３０について説明する。画面６２０がタッチパネル４１に表示されてから、第２所定時間操作が行われなかったときに、表示制御部５３は、画面６３０をタッチパネル４１に表示する。第２所定時間は、例えば、０．５秒である。画面６３０には、第１オブジェクト６０１〜６０４及び第２オブジェクト７０２、７０４が表示されている。
【００４０】
表示制御部５３は、第１オブジェクトＢＪ１及び第２オブジェクトＢＪ２を、画面６３０の第１方向ＤＲ１の側端に詰めて表示する。具体的には、表示制御部５３は、第１オブジェクト６０１の真上に第２オブジェクト７０２を表示し、第１オブジェクト６０２の真上に第２オブジェクト７０４を表示する。
【００４１】
また、画面６３０がタッチパネル４１に表示されているときに、特定操作検出部５４が第１オブジェクト６０２に対する第１操作ＯＰ１を再度検出した場合には、以下の処理が行われる。すなわち、グループ生成部５５は、第１グループＧ１から第１オブジェクト６０２を消去する。同様に、画面６３０がタッチパネル４１に表示されているときに、特定操作検出部５４が第１オブジェクト６０４に対する第１操作ＯＰ１を再度検出した場合には、以下の処理が行われる。すなわち、グループ生成部５５は、第１グループＧ１から第１オブジェクト６０４を消去する。その結果、第１グループＧ１は、第１オブジェクト６０１及び第１オブジェクト６０３から構成される。更に、表示制御部５３は、第１オブジェクトＢＪ１を、画面６３０の第１方向ＤＲ１の側端に詰めて表示する。その結果、第１オブジェクト６０３は、第２オブジェクト７０４の直下に表示される。
【００４２】
一方、画面６３０がタッチパネル４１に表示されているときに、第１オブジェクト６０１〜６０４のいずれか１つに対して第２操作ＯＰ２が行われた場合には、以下の処理が行われる。すなわち、特定操作検出部５４が第１オブジェクト６０２に対する第１操作ＯＰ１を検出し、グループ生成部５５が第２グループＧ２を生成した場合には、グループ生成部５５は第２操作ＯＰ２に応答しない。その結果、画面６３０がタッチパネル４１に継続して表示される。
【００４３】
次に、図７を参照して、第１オブジェクトＢＪ１に対する第２操作ＯＰ２について説明する。画面７００には、第１オブジェクト６０１〜６０４が表示されている。表示制御部５３は、画面７００の上下方向の略中央位置に、第１オブジェクト６０１〜６０４を表示する。また、表示制御部５３は、第１方向ＤＲ１の先端から順に、第１方向ＤＲ１の後端側に向けて、第１オブジェクト６０１〜６０４を並べて表示する。
【００４４】
次に、第１オブジェクト６０２に対して第２操作ＯＰ２が行われる場合について以下に説明する。まず、ユーザーの手Ｈ３の指が第１オブジェクト６０２上の位置Ｐ３１に接触する。そして、手Ｈ３の指がタッチパネル４１に触れた状態で、ユーザーが手Ｈ３の指を方向ＡＲ３１に位置Ｐ３２まで移動する。次に、位置Ｐ３２においてユーザーが手Ｈ３の指をタッチパネル４１から離す。その結果、特定操作検出部５４は、第１オブジェクト６０２に対する第２操作ＯＰ２を検出する。
【００４５】
また、特定操作検出部５４が第１オブジェクト６０２に対する第２操作ＯＰ２を検出したことに応答して、グループ生成部５５は、第１オブジェクト６０２を複製して第２オブジェクト８０２を生成する。そして、グループ生成部５５は、第２オブジェクト８０２を含む第２グループＧ２Ａを生成する。
【００４６】
次に、第１オブジェクト６０４に対して第２操作ＯＰ２が行われる場合について以下に説明する。まず、ユーザーの手Ｈ４の指が第１オブジェクト６０４上の位置Ｐ４１に接触する。そして、手Ｈ４の指がタッチパネル４１に触れた状態で、ユーザーが手Ｈ４の指を方向ＡＲ４１に位置Ｐ４２まで移動する。次に、位置Ｐ４２においてユーザーが手Ｈ４の指をタッチパネル４１から離す。その結果、特定操作検出部５４は、第１オブジェクト６０４に対する第２操作ＯＰ２を検出する。
【００４７】
また、特定操作検出部５４が第１オブジェクト６０４に対する第２操作ＯＰ２を検出したことに応答して、グループ生成部５５は、第１オブジェクト６０４を複製して第２オブジェクト８０４を生成する。そして、グループ生成部５５は、第２オブジェクト８０４を第２グループＧ２Ａに含ませて、第２グループＧ２Ａを更新する。その結果、第２グループＧ２Ａは、第２オブジェクト８０２及び第２オブジェクト８０４で構成される。
【００４８】
次に、図８〜図１０を参照して、第２操作ＯＰ２が検出された場合にタッチパネル４１に表示される画面の推移について説明する。図８〜図１０では、特定の第１オブジェクトＢＪ１が第１オブジェクト６０２及び第１オブジェクト６０４である場合について説明する。
【００４９】
特定操作検出部５４が第１オブジェクト６０２に対する第２操作ＯＰ２を検出したことに対応して、グループ生成部５５は第１グループＧ１Ａの第１オブジェクト６０２を消去する。同様に、特定操作検出部５４が第１オブジェクト６０４に対する第２操作ＯＰ２を検出したことに対応して、グループ生成部５５は、第１グループＧ１Ａの第１オブジェクト６０４を消去する。その結果、第１グループＧ１Ａを構成する第１オブジェクトＢＪ１は、第１オブジェクト６０１〜６０４から第１オブジェクト６０１、６０３に変化する。
【００５０】
まず、図８を参照して、第１操作ＯＰ１によって表示される第１状態の画面７１０について説明する。画面７１０には、第１オブジェクト６０１、６０３が表示されている。また、図８において、第１オブジェクト６０２、６０４が消去されたことを、第１オブジェクト６０２、６０４を破線で記載することで示している。更に、図８において、第１グループ表示領域ＧＲ１Ａを一点鎖線で示している。第１グループ表示領域ＧＲ１Ａは、第１オブジェクト６０１、６０３が第１グループＧ１Ａに含まれることを示す。
【００５１】
特定操作検出部５４が第１オブジェクト６０２に対する第２操作ＯＰ２を検出したことに応答して、グループ生成部５５は、第１オブジェクト６０２を複製して第２オブジェクト８０２を生成する。方向ＡＲ３２で示す矢印は、グループ生成部５５が第１オブジェクト６０２を複製して第２オブジェクト８０２を生成することを示している。そして、表示制御部５３は、第１オブジェクト６０２に対して第３方向ＤＲ３に離間した位置に第２オブジェクト８０２を表示する。また、第２オブジェクト８０２の下部は、タッチパネル４１の表示可能領域に含まれない。よって、タッチパネル４１には、図８において破線で示す第２オブジェクト８０２の下部は表示されない。
【００５２】
特定操作検出部５４が第１オブジェクト６０４に対する第２操作ＯＰ２を検出したことに応答して、グループ生成部５５は、第１オブジェクト６０４を複製して第２オブジェクト８０４を生成する。方向ＡＲ４２で示す矢印は、グループ生成部５５が第１オブジェクト６０４を複製して第２オブジェクト８０４を生成することを示している。そして、表示制御部５３は、第１オブジェクト６０４に対して第３方向ＤＲ３に離間した位置に第２オブジェクト８０４を表示する。また、第２オブジェクト８０４の下部は、タッチパネル４１の表示可能領域に含まれない。よって、タッチパネル４１には、図８において破線で示す第２オブジェクト８０４の下部は表示されない。
【００５３】
次に、図９を参照して、第２操作ＯＰ２によって表示される第２状態の画面７２０について説明する。画面７１０がタッチパネル４１に表示されてから、第３所定時間操作が行われなかったときに、表示制御部５３は、画面７２０をタッチパネル４１に表示する。第３所定時間は、例えば、２．０秒である。画面７２０には、第１オブジェクト６０１、６０３及び第２オブジェクト８０２、８０４が表示されている。
【００５４】
表示制御部５３は、まず、第１オブジェクト６０１、６０３を、画面７１０に示す表示位置から、第１方向ＤＲ１には変化させずに、第３方向ＤＲ３に変化させて表示する。具体的には、表示制御部５３は、第１オブジェクト６０１、６０３を、画面７２０の上半分の領域に表示する。次に、表示制御部５３は、第２オブジェクト８０２を、画面７２０の下半分の領域のうち、第１オブジェクト６０２が表示されていた位置に対して第３方向ＤＲ３に離間した位置に表示する。また、表示制御部５３は、第２オブジェクト８０４を、画面７２０の下半分の領域のうち、第１オブジェクト６０４が表示されていた位置に対して第３方向ＤＲ３に離間した位置に表示する。
【００５５】
その結果、画面７２０には、第１オブジェクト６０１、６０３及び第２オブジェクト８０２、８０４が表示される。また、図９において、第１グループ表示領域ＧＲ１Ａを一点鎖線で示している。第１グループ表示領域ＧＲ１Ａは、第１オブジェクト６０１、６０３が第１グループＧ１Ａに含まれることを示す。更に、図９において、第２グループ表示領域ＧＲ２Ａを一点鎖線で示している。第２グループ表示領域ＧＲ２Ａは、第２オブジェクト８０２、８０４が第２グループＧ２Ａに含まれることを示す。
【００５６】
次に、図１０を参照して、第２操作ＯＰ２によって表示される最終状態の画面７３０について説明する。画面７２０がタッチパネル４１に表示されてから、第４所定時間操作が行われなかったときに、表示制御部５３は、画面７４０をタッチパネル４１に表示する。第４所定時間は、例えば、０．５秒である。画面７３０には、第１オブジェクト６０１、６０３及び第２オブジェクト８０２、８０４が表示されている。
【００５７】
表示制御部５３は、第１オブジェクトＢＪ１及び第２オブジェクトＢＪ２を、タッチパネル４１の第１方向ＤＲ１の先側端に詰めて表示する。具体的には、表示制御部５３は、まず、第１オブジェクト６０１、６０３を、画面７３０の上半分の領域に、画面７３０の第１方向ＤＲ１の先側端に詰めて表示する。次に、表示制御部５３は、第２オブジェクト８０２、８０４を、画面７３０の下半分の領域に、タッチパネル４１の第１方向ＤＲ１の先側端に詰めて表示する。
【００５８】
その結果、画面７３０には、第１オブジェクト６０１、６０３及び第２オブジェクト８０２、８０４が表示される。また、図１０において、第１グループ表示領域ＧＲ１Ａ及び第２グループ表示領域ＧＲ２Ａを一点鎖線で示している。
【００５９】
また、画面７３０に示す画面がタッチパネル４１に表示されている状態で、第１オブジェクト６０１又は第１オブジェクト６０３に対して第１操作ＯＰ１が行われた場合には、以下の処理が行われる。すなわち、グループ生成部５５は、第１操作ＯＰ１に応答しない。その結果、タッチパネル４１に表示される画面７３０は変化しない。
【００６０】
なお、本実施形態では、「第１方向ＤＲ１」は、左方向に相当する。「第２方向ＤＲ２」は、上方向に相当する。「第３方向ＤＲ３」は、下方向に相当する。方向ＡＲ１１、方向ＡＲ１２、方向ＡＲ２１及び方向ＡＲ２２は、第２方向ＤＲ２を示す。方向ＡＲ３１、方向ＡＲ３２、方向ＡＲ４１及び方向ＡＲ４２は、第３方向ＤＲ３を示す。また、第２グループ表示領域ＧＲ２は、第１グループ表示領域ＧＲ１に対して「第１方向ＤＲ１と交差する第２方向ＤＲ２に離間した位置」の一例に相当する。また、第２グループ表示領域ＧＲ２Ａは、第１グループ表示領域ＧＲ１Ａに対して「第３方向ＤＲ３に離間した位置」の一例に相当する。また、第１グループ表示領域ＧＲ１、第２グループ表示領域ＧＲ２、第１グループ表示領域ＧＲ１Ａ及び第２グループ表示領域ＧＲ２Ａは、タッチパネル４１には表示されない。更に、本実施形態では、第１オブジェクト６０１〜６０４を識別容易にするために、第１オブジェクト６０１〜６０４に、それぞれ、「Ａ」〜「Ｄ」の文字を記載している。同様に、第２オブジェクト７０２、７０４を識別容易にするために、第２オブジェクト７０２、７０４に、それぞれ、「Ｂ」、「Ｄ」の文字を記載している。また、第２オブジェクト８０２、８０４を識別容易にするために、第２オブジェクト８０２、８０４に、それぞれ、「Ｂ」、「Ｄ」の文字を記載している。また、タッチパネル４１の表示可能領域は、図３〜図１０において実線で示す長方形の領域である。
【００６１】
次に、図１１、図１２を参照して、制御部５の動作を説明する。図１１、図１２は、制御部５の動作を示すフローチャートである。まず、図１１に示すように、ステップＳ１０１において、画像読取部５１が原稿Ｒに形成された画像を読み取る。次に、ステップＳ１０３において、表示制御部５３は、タッチパネル４１に複数の第１オブジェクトＢＪ１を表示する。複数の第１オブジェクトＢＪ１は、それぞれ、ステップＳ１０１で読み取られた画像に対応する。また、グループ生成部５５が、複数の第１オブジェクトＢＪ１を含む第１グループＧ１、Ｇ１Ａを生成する。
【００６２】
次いで、ステップＳ１０５において、特定操作検出部５４が、ステップＳ１０３で表示された複数の第１オブジェクトＢＪ１のうち、特定の第１オブジェクトＢＪ１に対するスワイプ操作ＯＰＳを検出したか否かの判定を行う。特定の第１オブジェクトＢＪ１に対するスワイプ操作ＯＰＳを検出していないと判定した場合（ステップＳ１０５でＮＯ）には、処理が図１２のステップＳ１３３に進む。図１１のステップＳ１０５において、特定の第１オブジェクトＢＪ１に対するスワイプ操作ＯＰＳを検出したと判定した場合（ステップＳ１０５でＹＥＳ）には、処理がステップＳ１０７に進む。
【００６３】
そして、ステップＳ１０７において、特定操作検出部５４が、スワイプ操作ＯＰＳの方向が第２方向ＤＲ２であるか否かを判定する。スワイプ操作ＯＰＳの方向が第２方向ＤＲ２ではないと判定された場合（ステップＳ１０７でＮＯ）には、処理がステップＳ１１９に進む。スワイプ操作ＯＰＳの方向が第２方向ＤＲ２であると判定された場合（ステップＳ１０７でＹＥＳ）には、処理がステップＳ１０９に進む。そして、ステップＳ１０９において、グループ生成部５５が第１操作ＯＰ１に応答するか否かの判定が行われる。具体的には、第２操作ＯＰ２に応答して第２グループＧ２Ａが生成された場合には、グループ生成部５５は第１操作ＯＰ１に応答しない。よって、ステップＳ１０９では、第２操作ＯＰ２に応答して第２グループＧ２Ａが生成されていないかどうかを判定する。第１操作ＯＰ１に応答しないと判定した場合（ステップＳ１０９でＮＯ）には、図１２のステップＳ１３３に進む。図１１のステップＳ１０９において、第１操作ＯＰ１に応答すると判定した場合（ステップＳ１０９でＹＥＳ）には、処理がステップＳ１１１に進む。
【００６４】
そして、ステップＳ１１１において、グループ生成部５５が、第１オブジェクトＢＪ１を複製して第２オブジェクトＢＪ２を生成する。複製される第１オブジェクトＢＪ１は、ステップＳ１０５でスワイプ操作ＯＰＳが行われた第１オブジェクトＢＪ１に対応する。次に、ステップＳ１１３において、グループ生成部５５が、ステップＳ１１１で生成した第２オブジェクトＢＪ２を含む第２グループＧ２を生成する。そして、図１２に示すように、ステップＳ１１５において、表示制御部５３が第１オブジェクトＢＪ１及び第２オブジェクトＢＪ２をタッチパネル４１に表示する。次いで、ステップＳ１１７において、グループ生成部５５が、第２操作ＯＰ２に応答しないようにグループ生成部５５を設定し、処理がステップＳ１３３に進む。
【００６５】
図１１のステップＳ１０７でＮＯの場合には、ステップＳ１１９において、特定操作検出部５４が、スワイプ操作ＯＰＳの方向が第３方向ＤＲ３であるか否かを判定する。スワイプ操作ＯＰＳの方向が第３方向ＤＲ３ではないと判定された場合（ステップＳ１１９でＮＯ）には、処理が図１２のステップＳ１３３に進む。図１１のステップＳ１１９において、スワイプ操作ＯＰＳの方向が第３方向ＤＲ３であると判定された場合（ステップＳ１１９でＹＥＳ）には、処理がステップＳ１２１に進む。そして、ステップＳ１２１において、グループ生成部５５が第２操作ＯＰ２に応答するか否かの判定が行われる。具体的には、第１操作ＯＰ１に応答して第２グループＧ２が生成された場合には、グループ生成部５５は第２操作ＯＰ２に応答しない。よって、ステップＳ１２１では、第１操作ＯＰ１に応答して第２グループＧ２が生成されていないかどうかを判定する。第２操作ＯＰ２に応答しないと判定した場合（ステップＳ１２１でＮＯ）には、図１２のステップＳ１３３に進む。図１１のステップＳ１２１において、第２操作ＯＰ２に応答すると判定した場合（ステップＳ１２１でＹＥＳ）には、処理がステップＳ１２３に進む。
【００６６】
そして、ステップＳ１２３において、グループ生成部５５が、第１オブジェクトＢＪ１を複製して第２オブジェクトＢＪ２を生成する。複製される第１オブジェクトＢＪ１は、ステップＳ１０５でスワイプ操作ＯＰＳが行われた第１オブジェクトＢＪ１に対応する。次に、ステップＳ１２５において、グループ生成部５５が、ステップＳ１２１で生成した第２オブジェクトＢＪ２を含む第２グループＧ２Ａを生成する。次いで、ステップＳ１２７において、グループ生成部５５が、第１オブジェクトＢＪ１を第１グループＧ１Ａから消去する。消去される第１オブジェクトＢＪ１は、ステップＳ１０５でスワイプ操作ＯＰＳが行われた第１オブジェクトＢＪ１に対応する。そして、図１２に示すように、ステップＳ１２９において、表示制御部５３が第１オブジェクトＢＪ１及び第２オブジェクトＢＪ２をタッチパネル４１に表示する。次に、ステップＳ１３１において、グループ生成部５５が、第１操作ＯＰ１に応答しないようにグループ生成部５５を設定し、処理がステップＳ１３３に進む。
【００６７】
そして、ステップＳ１３３において、グループ生成部５５が、タッチパネル４１からのユーザーの操作に基づいて、グループ処理を終了するか否かを判定する。「グループ処理」とは、グループ生成部５５が、第２グループＧ２、又は、第２グループＧ２Ａを生成する処理を示す。グループ処理を終了しないと判定した場合（ステップＳ１３３でＮＯ）には、処理が図１１に示すステップＳ１０５に戻る。図１２のステップＳ１３３において、グループ処理を終了すると判定した場合（ステップＳ１３３でＹＥＳ）には、処理がステップＳ１３５に進む。
【００６８】
そして、ステップＳ１３５において、画像形成制御部５６がタッチパネル４１からのユーザーの操作に基づいて、印刷指示があったか否かを判定する。印刷指示がないと判定した場合（ステップＳ１３５でＮＯ）には、処理が待機状態となる。印刷指示があったと判定した場合（ステップＳ１３５でＹＥＳ）には、処理がステップＳ１３７に進む。そして、ステップＳ１３７において、画像形成制御部５６が、タッチパネル４１からのユーザーの操作に基づいて、第１グループＧ１又は第１グループＧ１Ａに含まれる画像を印刷するか否かを判定する。第１グループＧ１に含まれる画像とは、第１グループＧ１に含まれる第１オブジェクトＢＪ１に対応する画像である。第１グループＧ１Ａに含まれる画像とは、第１グループＧ１Ａに含まれる第１オブジェクトＢＪ１に対応する画像である。第１グループＧ１又は第１グループＧ１Ａに含まれる画像を印刷しないと判定した場合（ステップＳ１３７でＮＯ）には、処理がステップＳ１３９に進む。第１グループＧ１又は第１グループＧ１Ａに含まれる画像を印刷すると判定した場合（ステップＳ１３７でＹＥＳ）には、ステップＳ１４１において、画像形成制御部５６が、第１グループＧ１又は第１グループＧ１Ａに含まれる画像を印刷し、処理が終了する。
【００６９】
ステップＳ１３７でＮＯの場合には、ステップＳ１３９において、画像形成制御部５６が、タッチパネル４１からのユーザーの操作に基づいて、第２グループＧ２又は第２グループＧ２Ａに含まれる画像を印刷するか否かを判定する。第２グループＧ２に含まれる画像とは、第２グループＧ２に含まれる第２オブジェクトＢＪ２に対応する画像である。第２グループＧ２Ａに含まれる画像とは、第２グループＧ２Ａに含まれる第２オブジェクトＢＪ２に対応する画像である。第２グループＧ２又は第２グループＧ２Ａに含まれる画像を印刷しないと判定した場合（ステップＳ１３９でＮＯ）には、処理がステップＳ１３７に戻る。第２グループＧ２又は第２グループＧ２Ａに含まれる画像を印刷すると判定した場合（ステップＳ１３９でＹＥＳ）には、ステップＳ１４３において、画像形成制御部５６が、第２グループＧ２又は第２グループＧ２Ａに含まれる画像を印刷し、処理が終了する。
【００７０】
以上、図１〜図１２を参照して説明したように、特定操作検出部５４が、タッチパネル４１を介して、複数の第１オブジェクトＢＪ１のうち、特定の第１オブジェクトＢＪ１に対する特定の操作（本実施形態では、スワイプ操作ＯＰＳ）を検出する。そして、特定操作検出部５４が特定の操作を検出したことに応答して、グループ生成部５５は、特定の第１オブジェクトＢＪ１を複製して第２オブジェクトＢＪ２を生成して、第２オブジェクトＢＪ２を含む第２グループＧ２、Ｇ２Ａを生成する。
【００７１】
よって、ユーザーが特定の第１オブジェクトＢＪ１に対して特定の操作を行うことによって、特定の第１オブジェクトＢＪ１を複製して第２オブジェクトＢＪ２を生成し、第２オブジェクトＢＪ２を含む第２グループＧ２、Ｇ２Ａを生成することができる。したがって、簡単な操作で第２グループＧ２、Ｇ２Ａを生成することができる。その結果、タッチパネル４１に表示された第１オブジェクトＢＪ１の操作性を向上できる。具体的には、例えば、第１オブジェクトＢＪ１が画像を示すオブジェクト（以下、「画像オブジェクト」という）である場合には、以下のように第２グループＧ２、Ｇ２Ａを生成できる。すなわち、第１グループＧ１を構成する複数の画像オブジェクトから、ユーザーが印刷を所望する画像オブジェクトを選択して第２グループＧ２、Ｇ２Ａを生成することができる。したがって、簡単な操作で印刷する対象の画像を選択できる。
【００７２】
また、表示制御部５３が、タッチパネル４１に、複数の第１オブジェクトＢＪ１を第１方向ＤＲ１に並べて表示させると共に、複数の第２オブジェクトＢＪ２を、第１オブジェクトＢＪ１に対して第１方向ＤＲ１と交差する方向に離間した位置に表示する。よって、複数の第１オブジェクトＢＪ１及び複数の第２オブジェクトＢＪ２を見易く表示できる。
【００７３】
更に、表示制御部５３が、タッチパネル４１に、複数の第１オブジェクトＢＪ１及び複数の第２オブジェクトＢＪ２を、タッチパネル４１の第１方向ＤＲ１の側端に詰めて表示する。よって、複数の第１オブジェクトＢＪ１及び複数の第２オブジェクトＢＪ２を更に見易く表示できる。
【００７４】
加えて、表示制御部５３が、タッチパネル４１に、複数の第１オブジェクトＢＪ１及び複数の第２オブジェクトＢＪ２を、第１方向ＤＲ１にスクロール可能に表示する。よって、複数の第１オブジェクトＢＪ１の個数が多い場合にも、複数の第１オブジェクトＢＪ１及び複数の第２オブジェクトＢＪ２を操作性良好に表示できる。
【００７５】
また、第１方向ＤＲ１に交差する方向は、第２方向ＤＲ２又は第３方向ＤＲ３であり、第３方向ＤＲ３は、第２方向ＤＲ２と反対の方向を示す。グループ生成部５５は、特定操作検出部５４が第２方向ＤＲ２を示す特定の操作（本実施形態では、第１操作ＯＰ１）を検出したことに応答して、第１グループＧ１から特定の第１オブジェクトＢＪ１を消去しない。また、特定操作検出部５４が第３方向ＤＲ３を示す特定の操作（本実施形態では、第２操作ＯＰ２）を検出したことに応答して、グループ生成部５５は、第１グループＧ１Ａから特定の第１オブジェクトＢＪ１を消去する。
【００７６】
よって、ユーザーは、特定の第１オブジェクトＢＪ１に対して第１操作ＯＰ１を行うことによって、特定の第１オブジェクトＢＪ１を複製して第２オブジェクトＢＪ２を生成し、第２グループＧ２に第２オブジェクトＢＪ２を含ませることができる。また、ユーザーは、特定の第１オブジェクトＢＪ１に対して第２操作ＯＰ２を行うことによって、特定の第１オブジェクトＢＪ１を切り取って第２オブジェクトＢＪ２を生成し、第２グループＧ２Ａに第２オブジェクトＢＪ２を含ませることができる。したがって、タッチパネル４１に表示された第１オブジェクトＢＪ１の操作性を更に向上できる。
【００７７】
更に、第１操作ＯＰ１に応答して第２グループＧ２が生成された場合には、表示制御部５３は、第１オブジェクトＢＪ１に対して第２方向ＤＲ２に離間した位置に第２オブジェクトＢＪ２を表示する。一方、第２操作ＯＰ２に応答して第２グループＧ２Ａが生成された場合には、表示制御部５３は、第１オブジェクトＢＪ１に対して第３方向ＤＲ３に離間した位置に第２オブジェクトＢＪ２を表示する。よって、ユーザーは、第２オブジェクトＢＪ２の第１オブジェクトＢＪ１に対する表示位置に基づいて、以下のことを視認できる。すなわち、ユーザーは、第２グループＧ２が第１操作ＯＰ１に応答して生成されたこと、及び、第２グループＧ２Ａが第２操作ＯＰ２に応答して生成されたことを視認することができる。したがって、タッチパネル４１に表示された第２オブジェクトＢＪ２の視認性を向上できる。
【００７８】
加えて、第１操作ＯＰ１に応答して第２グループＧ２が生成された場合には、グループ生成部５５は、第２操作ＯＰ２に応答しない。また、第２操作ＯＰ２に応答して第２グループＧ２Ａが生成された場合には、グループ生成部５５は、第１操作ＯＰ１に応答しない。よって、第１オブジェクトＢＪ１を第１グループＧ１に残したまま第２グループＧ２を生成する処理と、第１オブジェクトＢＪ１を第１グループＧ１Ａから消去して第２グループＧ２Ａを生成する処理とが混在することを防止できる。
【００７９】
また、特定の第１オブジェクトＢＪ１に対する第１操作ＯＰ１に応答して第２グループＧ２が生成された後に、特定操作検出部５４が特定の第１オブジェクトＢＪ１に対する第１操作ＯＰ１を検出した場合には、以下の処理を行う。グループ生成部５５は、第１オブジェクトＢＪ１に対する第１操作ＯＰ１を検出したことに応答して、第１グループＧ１から特定の第１オブジェクトＢＪ１を消去する。よって、ユーザーは、特定の第１オブジェクトＢＪ１に対して第１操作ＯＰ１を２回行うことによって、第１グループＧ１から特定の第１オブジェクトＢＪ１を消去できる。したがって、タッチパネル４１に表示された第１オブジェクトＢＪ１の操作性を更に向上できる。
【００８０】
更に、複数の第１オブジェクトＢＪ１は、画像読取部５１によって読み取られた複数の画像に対応する。よって、画像読取部５１によって読み取られた複数の画像の中から、ユーザーが印刷を所望する画像を、第２オブジェクトＢＪ２とすることができる。したがって、ユーザーは所望する画像を容易に記録用紙Ｐに形成できる。
【００８１】
加えて、第３方向ＤＲ３が第２方向ＤＲ２と反対の方向である。よって、第２方向ＤＲ２の特定の操作である第１操作ＯＰ１と第３方向ＤＲ３の特定の操作である第２操作ＯＰ２とをユーザーが間違うことを抑制できる。したがって、タッチパネル４１に表示された第１オブジェクトＢＪ１の操作性を向上できる。
【００８２】
また、第１方向ＤＲ１が左方向であるため、タッチパネル４１が横長に配置されている場合に、多数の第１オブジェクトＢＪ１を表示することができる。また、第２方向ＤＲ２が上方向であり、第３方向ＤＲ３が下方向であるため、右方向に並べて表示された第１オブジェクトＢＪ１に対してユーザーが第１操作ＯＰ１及び第２操作ＯＰ２を行い易い。よって、タッチパネル４１に表示された第１オブジェクトＢＪ１の操作性を向上できる。
【００８３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８４】
（１）図１を参照して表示制御装置が画像形成装置１００である形態について説明したが、これに限定されない。表示制御装置がタッチパネルを備えた装置であればよい。例えば、表示制御装置が、スマートフォン、又は、タブレット型コンピューターである形態でもよい。また、例えば、表示制御装置が、ＣＤプレイヤー、ＤＶＤプレイヤー、又は、各種家電機器のような装置である形態でもよい。
【００８５】
（２）図２を参照して、第１オブジェクトＢＪ１が、画像読取部５１が読み取った画像に対応する形態について説明したが、これに限定されない。例えば、第１オブジェクトＢＪ１が、複数ページを有するテキストファイルの各ページに対応する形態でもよい。また、例えば、第１オブジェクトＢＪ１が、ファイル（又は、アイコン）に対応する形態でもよい。
【００８６】
（３）図３を参照して、特定の操作がスワイプ操作ＯＰＳである形態について説明したが、これに限定されない。例えば、特定の操作がフリック操作又はスライド操作である形態でもよい。
【００８７】
（４）図６を参照して、表示制御部５３が複数の第１オブジェクトＢＪ１及び複数の第２オブジェクトＢＪ２をタッチパネル４１の側端に詰めて表示する形態について説明したが、これに限定されない。例えば、表示制御部５３が複数の第１オブジェクトＢＪ１及び複数の第２オブジェクトＢＪ２をタッチパネル４１の幅方向の中央部に表示する形態でもよい。
【００８８】
（５）図３及び図７を参照して、第１方向ＤＲ１が左方向であり、第２方向ＤＲ２が上方向であり、第３方向ＤＲ３が下方向である形態について説明したが、これに限定されない。例えば、第１方向ＤＲ１が右方向であり、第２方向ＤＲ２が下方向であり、第３方向ＤＲ３が上方向である形態でもよい。また、例えば、第１方向ＤＲ１が下方向であり、第２方向ＤＲ２が右方向であり、第３方向ＤＲ３が左方向である形態でもよい。
【産業上の利用可能性】
【００８９】
本発明は、タッチパネルを備える表示制御装置、表示制御方法、及び、画像形成装置に利用可能である。
【符号の説明】
【００９０】
１００    画像形成装置（表示制御装置）
１    画像形成ユニット（画像形成部の一部）
２    画像読取ユニット
３    原稿搬送ユニット
４    操作パネル
４１    タッチパネル
５    制御部
５１    画像読取部
５２    画像記憶部
５３    表示制御部
５４    特定操作検出部
５５    グループ形成部
５６    画像形成制御部（画像形成部の一部）
【図１】
0006409752.tif 000002
【図２】
0006409752.tif 000003
【図３】
0006409752.tif 000004
【図４】
0006409752.tif 000005
【図５】
0006409752.tif 000006
【図６】
0006409752.tif 000007
【図７】
0006409752.tif 000008
【図８】
0006409752.tif 000009
【図９】
0006409752.tif 000010
【図１０】
0006409752.tif 000011
【図１１】
0006409752.tif 000012
【図１２】
0006409752.tif 000013